(57)【要約】【課題】円滑に、ロール体からシートを巻き出したり、巻き出されたシートをカットすることができるロール体用ホルダーを提供すること。【解決手段】台座２上に軸を縦方向にして回転自在に載置したロール体ＲからシートＳを順次巻き出すようにしたもので、台座２のロール体Ｒの載置面２１を、ロール体Ｒの軸が鉛直方向に対して傾斜してロール体Ｒが載置されるように傾斜面に形成するとともに、載置面２１の頂上側にロール体Ｒから巻き出されたシートＳの引き出しガイド部３を設ける。【選択図】図１
2020026323.tif 000002
【特許請求の範囲】
【請求項１】
台座上に軸を縦方向にして回転自在に載置したロール体からシートを順次巻き出すようにしたロール体用ホルダーにおいて、前記台座のロール体の載置面を、ロール体の軸が鉛直方向に対して傾斜してロール体が載置されるように傾斜面に形成するとともに、該載置面の頂上側にロール体から巻き出されたシートの引き出しガイド部を設けたことを特徴とするロール体用ホルダー。
【請求項２】
前記引き出しガイド部が、シート保持部と、シートカット部とを備えてなることを特徴とする請求項１に記載のロール体用ホルダー。
【発明の詳細な説明】
【技術分野】
【０００１】
本発明は、キッチンペーパー、ペーパータオル、クッキングシート等のロール状衛生用紙類、ラップフィルム等のロール状フィルム、アルミホイル等のロール状シート類（本明細書において、これらを包括して、「ロール体」という。）からシートを順次巻き出すために使用されるロール体用ホルダーに関し、特に、台座上に軸を縦方向にして回転自在に載置したロール体からシートを順次巻き出すようにしたロール体用ホルダーに関するものである。
【背景技術】
【０００２】
従来、この種のロール体は、軸を縦方向又は横方向に回転自在にしたロール体からシートを順次巻き出すようにしたロール体用ホルダーに装着して使用するようにしている。
そして、ロール体用ホルダーは、ロール体の実際の使用場面における利便性を考慮して、ロール体からシートを簡単に切り取ることができるようにしている。
例えば、ロール体の軸を縦方向に回転自在にしたものの例として、基台上面の一方に起伏自在のポールを取り付けるとともに、基台上面の他方で前記ポール取り付け位置より離れた位置に設けた支持部材によって基台上面の全方向に旋回可能な支え棒を取り付けて構成され、起立状態のポールに巻取りロール体の巻芯部を挿入して支持するとともに、前記支え棒の先端をロール体の表面に当接させるようにした巻取りロール体のホルダー（特許文献１参照。）や、曲部を描いて上方に反り上る周辺部とキッチンペーパーロールの未使用のロール径大の平面状の中央部からなる受皿と、受皿の中心に立設され、キッチンペーパーロールの円筒芯の内径より細径であり、かつ、キッチンペーパーロールの円筒芯の長さより長い主円柱とからなり、さらに、受皿の質量を、キッチンペーパーロール、受皿の中心に立設の主円柱、キッチンペーパーロールの円筒芯及びキッチンパーパーロールからなる質量の合計量よりも大きな質量として、重心の位置を受皿側に低く下げてキッチンパーパーロールごとの転倒を防止するようにしたキッチンペーパーロール・スタンド（特許文献２参照。）が提案されている。
【先行技術文献】
【特許文献】
【０００３】
【特許文献１】特開２００５−２７０２５４号公報
【特許文献２】実用新案登録第３１７３５３１号公報
【発明の概要】
【発明が解決しようとする課題】
【０００４】
このように、従来のロール体用ホルダーにおいては、ロール体の実際の使用場面における利便性を考慮して、ロール体からシートを簡単に切り取ることができるようにされているが、ロール体用ホルダー自体を固定設置しない方式の、ロール体の軸を縦方向に回転自在に載置するロール体用ホルダーにおいては、ロール体からシートを巻き出す際や、巻き出されたシートをカットする際に、ロール体用ホルダー自体が動いてしまったり、倒れて巻き出されたシートをカットできないという不具合があった。
この問題に対処するため、特許文献２に記載されているように、ホルダー本体の重量を重く（錘に）することが考えられるが、このためには、金属製にしたり、肉厚プラスチック（比重の高いプラスチックや無機フィラー入り等）にする必要があり、結果として、可搬性が損なわれたり、コストアップにつながるという問題があった。
【０００５】
本発明は、上記従来のロール体の軸を縦方向に回転自在に載置するロール体用ホルダーの有する問題点に鑑み、円滑に、ロール体からシートを巻き出したり、巻き出されたシートをカットすることができるロール体用ホルダーを提供することを目的とする。
【課題を解決するための手段】
【０００６】
上記目的を達成するため、本発明のロール体用ホルダーは、台座上に軸を縦方向にして回転自在に載置したロール体からシートを順次巻き出すようにしたロール体用ホルダーにおいて、前記台座のロール体の載置面を、ロール体の軸が鉛直方向に対して傾斜してロール体が載置されるように傾斜面に形成するとともに、該載置面の頂上側にロール体から巻き出されたシートの引き出しガイド部を設けたことを特徴とする。
【０００７】
この場合において、前記引き出しガイド部が、シート保持部と、シートカット部とを備えてなるようにすることができる。
【発明の効果】
【０００８】
本発明のロール体用ホルダーによれば、台座のロール体の載置面を、ロール体の軸が鉛直方向に対して傾斜してロール体が載置されるように傾斜面に形成するとともに、該載置面の頂上側にロール体から巻き出されたシートの引き出しガイド部を設けるようにすることにより、ホルダー本体の重量を重くしなくても、円滑に、ロール体からシートを巻き出したり、巻き出されたシートをカットすることができ、これにより、ロール体用ホルダー自体が動いてしまったり、倒れて巻き出されたシートをカットできなくなったりすることを防止することができる。
【０００９】
また、前記引き出しガイド部が、シート保持部と、シートカット部とを備えてなるようにすることにより、ロール体から巻き出したシートを保持しながら、シートをカットすることができるとともに、カットした後のロール体側のシートの端部を確実に保持することができる。
【図面の簡単な説明】
【００１０】
【図１】本発明のロール体用ホルダーの第１実施例を示す説明図である。
【図２】同ロール体用ホルダーの動作の説明図である。
【図３】同ロール体用ホルダーの動作の拡大説明図である。
【図４】本発明のロール体用ホルダーの台座の説明図である。
【図５】本発明のロール体用ホルダーの第２実施例を示す説明図である。
【図６】本発明のロール体用ホルダーの第３実施例を示す説明図である。
【図７】本発明のロール体用ホルダーの第４実施例を示す説明図である。
【図８】本発明のロール体用ホルダーの第５実施例を示す説明図である。
【図９】本発明のロール体用ホルダーの第６実施例を示す説明図である。
【発明を実施するための形態】
【００１１】
以下、本発明のロール体用ホルダーの実施の形態を、図面に基づいて説明する。
【実施例１】
【００１２】
図１〜図４に、本発明のロール体用ホルダーの第１実施例を示す。
このロール体用ホルダー１は、台座２上に軸を縦方向にして回転自在に載置したロール体ＲからシートＳを順次巻き出すようにしたもので、台座２のロール体Ｒの載置面２１を、ロール体Ｒの軸が鉛直方向に対して傾斜してロール体Ｒが載置されるように傾斜面に形成するとともに、載置面２１の頂上側にロール体Ｒから巻き出されたシートＳの引き出しガイド部３を設けるようにしている。
【００１３】
この場合において、傾斜面に形成した載置面２１の傾斜角度θは、特に限定されるものではないが、５°〜４５°、好ましくは、５°〜３０°、より好ましくは、１０°〜２０°程度（本実施例においては、１５°）に設定するようにしている。
【００１４】
台座２は、載置面２１の頂上側に鉛直方向の接地片２２を、反対側に水平方向の接地片２３を、それぞれ延設するようにしている。
ここで、台座２の接地片２２は、鉛直方向の接地片２２に限定されず、例えば、図４（ｂ）に示すように、傾斜した接地片２２としたり、図４（ｃ）に示すように、鉛直方向の接地片２２に水平方向の接地片２４をさらに延設するようにすることもできる。
【００１５】
また、台座２の載置面２１には、ロール体Ｒを支持する芯棒４を載置面２１に対して垂直に立設するようにしている。
【００１６】
載置面２１の頂上側に設けたロール体Ｒから巻き出されたシートＳの引き出しガイド部３は、載置面２１に対して垂直に立設するようにするとともに、ロール体Ｒ側を拡開した湾曲面に形成したシート導入部３０と、シート保持部３１と、シートカット部３２とを順に備えるようにしている。
これにより、ロール体Ｒから巻き出したシートＳを保持しながら、シートＳをカットすることができるとともに、カットした後のロール体Ｒ側のシートＳの端部Ｓｏを確実に保持することができるようにしている。
本実施例において、シート保持部３１は、ロール体Ｒ側のシートＳを確実に保持することができるように、シートＳに接触する面を粗面で構成するようにしている。ここで、シート保持部３１は、ロール体ＲからシートＳを巻き出す際（図示矢印（１）の動作の際）には抵抗がかからず、シートＳをカットする際（図示矢印（２）の動作の際）に粗面がシートＳに接触して引っ掛かり抵抗が生じるようにしている。
また、シートカット部３２は、等間隔に凸部を形成して構成するようにしている。ここで、等間隔に形成する凸部の大きさや間隔は、任意に設定することができるが、カットした後のロール体Ｒ側のシートＳの端部Ｓｏを摘まみやすい大きさや間隔に形成することが好ましい。
また、引き出しガイド部３は、片側のみとすることも可能であるが、本実施例のように左右対称に構成することで、ロール体Ｒのセット方向及び右利き・左利きにかかわらず使用可能にすることができるようにしている。ここで、シートＳが挿通される引き出しガイド部３のシート保持部３１間及びシートカット部３２間の隙間は、シートＳの厚みよりも広く（特に限定されるものではないが、シートＳの厚みの１．５〜数倍程度。）、シート保持部３１同士及びシートカット部３２同士が平行に対向するようにしている。
【００１７】
このロール体用ホルダー１は、全体を合成樹脂製の成形体で構成するようにしているが、一体成形のほか、各部分を個別に成形し、これを組み立てるようにすることもできる。
【００１８】
このロール体用ホルダー１は、台座２の載置面２１に軸が鉛直方向に対して傾斜して載置されたロール体Ｒから、引き出しガイド部３を介して、シートＳを（シートＳに形成されたミシン目Ｓｃまで）巻き出し（図示矢印（１））、巻き出されたシートＳを（シートＳに形成されたミシン目Ｓｃの箇所で）斜め下方に力を加えてカットするようにする（図示矢印（２））が、以下の作用効果を期待できる。
（１）シートＳを巻き出し、カットするまで片手操作が可能となる。このとき、軸が鉛直方向に対して傾斜してロール体Ｒが載置されるように傾斜面に形成するとともに、載置面２１の頂上側にロール体Ｒから巻き出されたシートＳの引き出しガイド部３を設けるようにしているため、シートＳをカットする際にシートＳに加わる力の方向が相対的に下向きになり、ロール体用ホルダー１自体が動いてしまったり、倒れて巻き出されたシートＳをカットできなくなったりすることを防止することができる。
（２）ロール体の軸を縦方向に回転自在に載置するロール体用ホルダーでも台座２の重量を重くする必要がなく、軽量化が図れるとともに、構造が簡単なため製造コストを低廉にできる。
（３）シートＳの引き出しガイド部３を工夫することで、ロール体Ｒから巻き出したシートＳを保持しながら、シートＳをカットすることができるとともに、カットした後のロール体Ｒ側のシートＳの端部Ｓｏを確実に保持することができる。
（４）ロール体Ｒの軸が鉛直方向に対して傾斜して載置される（実質的に縦置きにした）ことで設置面積を小さく設計できる。
（５）なお、必要に応じて、ホコリ防止カバー（図示省略）を設けることも可能である。
【実施例２】
【００１９】
図５に、本発明のロール体用ホルダーの第２実施例を示す。
このロール体用ホルダー１は、第１実施例のロール体用ホルダー１と同様の基本態様を備えたもので、ロール体Ｒから巻き出されたシートＳの引き出しガイド部３について変形を加えたものである。
具体的には、第１実施例において、シートＳが挿通される引き出しガイド部３のシート保持部３１間及びシートカット部３２間の隙間は、シートＳの厚みよりも広く（特に限定されるものではないが、シートＳの厚みの１．５〜数倍程度。）、シート保持部３１同士及びシートカット部３２同士が平行に対向するようにしているが、この第２実施例においては、シートＳが挿通される隙間を構成するシート保持部３１同士及びシートカット部３２同士が、シートＳの引き出し方向に向けて拡開するようにしている。
これにより、シート保持部３１は、確実に、ロール体ＲからシートＳを巻き出す際には抵抗がかからず、シートＳをカットする際に粗面がシートＳに接触して引っ掛かり抵抗が生じるものとなる。
なお、この第２実施例のその他の構成及び作用は、第１実施例と同様である。
【実施例３】
【００２０】
図６に、本発明のロール体用ホルダーの第３実施例を示す。
このロール体用ホルダー１は、第１実施例のロール体用ホルダー１と同様の基本態様を備えたもので、ロール体Ｒから巻き出されたシートＳの引き出しガイド部３について変形を加えたものである。
具体的には、第１実施例において、シートＳが挿通される引き出しガイド部３のシート保持部３１間及びシートカット部３２間の隙間は、シートＳの厚みよりも広く（特に限定されるものではないが、シートＳの厚みの１．５〜数倍程度。）、シート保持部３１同士及びシートカット部３２同士が平行に対向するようにしているが、この第３実施例においては、シートＳが挿通される隙間を構成するシート保持部３１同士及びシートカット部３２同士が、シートＳの引き出し方向に向けて拡開するようにしている。
これにより、シート保持部３１は、確実に、ロール体ＲからシートＳを巻き出す際には抵抗がかからず、シートＳをカットする際に粗面がシートＳに接触して引っ掛かり抵抗が生じるものとなる。
さらに、この第３実施例においては、引き出しガイド部３のロール体Ｒ側を拡開した湾曲面に形成したシート導入部３０の基端側の上部からシートＳの引き出し方向に向けてシートＳを下方に向けて誘導するシート下方誘導ガイド部３３を延設するようにしている。
これにより、シートＳをカットする際にシートＳがシート下方誘導ガイド部３３の下を潜り抜けるように案内されることから、シートＳを斜め下方に自然に誘導してカットできるようになる（図示矢印（２））。
なお、この第３実施例のその他の構成及び作用は、第１実施例と同様である。
【実施例４】
【００２１】
図７に、本発明のロール体用ホルダーの第４実施例を示す。
このロール体用ホルダー１は、第１実施例のロール体用ホルダー１と同様の基本態様を備えたもので、ロール体Ｒから巻き出されたシートＳの引き出しガイド部３について変形を加えたものである。
具体的には、第１実施例において、シート保持部３１のシートＳに接触する面を粗面で構成するようにしているが、この第４実施例においては、シート保持部３１を、シートＳを挟持する薄肉舌片状の摺接体で構成するようにすることによって、ロール体Ｒ側のシートＳを確実に保持することができるようにしている。
ここで、シート保持部３１を構成する薄肉舌片状の摺接体は、エラストマ等の弾性材料製のものを引き出しガイド部３に取り付けるようにしたり、シート保持部３１と一体成形することもできる。
なお、この第４実施例のその他の構成及び作用は、第１実施例と同様である。
【実施例５】
【００２２】
図８に、本発明のロール体用ホルダーの第５実施例を示す。
このロール体用ホルダー１は、第１実施例のロール体用ホルダー１と同様の基本態様を備えたもので、ロール体Ｒから巻き出されたシートＳの引き出しガイド部３について変形を加えたものである。
具体的には、第１実施例において、引き出しガイド部３は、シート導入部３０、シート保持部３１及びシートカット部３２を一体に備えるようにしているが、この第５実施例においては、引き出しガイド部３を、分離したシート導入部３０、シート保持部３１及びシートカット部３２で構成するようにしている。
ここで、シート保持部３１及びシートカット部３２は、シート導入部３０から引き出されたシートＳの延長線上に位置するように配置するようにしている。
また、シートカット部３２は、先細りのアーチ状とすることによって、シートＳを斜め下方に自然に誘導してカットできるようになる（図示矢印（２））。
ペーパーをカットする時点で斜め下方へ自然に誘導することができる
なお、この第５実施例のその他の構成及び作用は、第１実施例と同様である。
【実施例６】
【００２３】
図９に、本発明のロール体用ホルダーの第６実施例を示す。
このロール体用ホルダー１は、第１実施例のロール体用ホルダー１と同様の基本態様を備えたもので、ロール体Ｒを支持する芯棒４に代えて、ロール体Ｒを支持する囲い部５を設けたものである。
ここで、囲い部５の形状は、断面形状が矩形に限定されず、例えば、円形にすることもできる。
これにより、芯穴を有するロール体Ｒのほか、芯穴を有するロール体にも対応することができる。
また、必要に応じて、ホコリ防止カバー（蓋）（図示省略）を設けることも可能である。
なお、この第６実施例のその他の構成及び作用は、第１実施例と同様である。
【００２４】
以上、本発明のロール体用ホルダーについて、複数の実施例に基づいて説明したが、本発明は上記実施例に記載した構成に限定されるものではなく、各実施例に記載した構成を適宜組み合わせるようにしたり、合成樹脂製の成形体以外の材料、例えば、台座２や芯棒４を屈曲させた線材で構成する等、その趣旨を逸脱しない範囲において適宜その構成を変更することができるものである。
【産業上の利用可能性】
【００２５】
本発明のロール体用ホルダーは、円滑に、ロール体からシートを巻き出したり、巻き出されたシートをカットすることができる特性を有していることから、キッチンペーパー、ペーパータオル、クッキングシート等のロール状衛生用紙類用ホルダーの用途に好適に用いることができるほか、例えば、ラップフィルム等のロール状フィルム用ホルダー、アルミホイル等のロール状シート類用ホルダー等の用途にも用いることができる。
【符号の説明】
【００２６】
１  ロール体用ホルダー
２  台座
２１  載置面
２２  接地片
２３  接地片
２４  接地片
３  引き出しガイド部
３０  シート導入部
３１  シート保持部
３２  シートカット部
３３  シート下方誘導ガイド部
４  芯棒
５  囲い部
Ｒ  ロール体
Ｓ  シート
Ｓｃ  ミシン目
Ｓｏ  端部
θ  傾斜角度
【図１】
2020026323.tif 000003
【図２】
2020026323.tif 000004
【図３】
2020026323.tif 000005
【図４】
2020026323.tif 000006
【図５】
2020026323.tif 000007
【図６】
2020026323.tif 000008
【図７】
2020026323.tif 000009
【図８】
2020026323.tif 000010
【図９】
2020026323.tif 000011